(57)【要約】【課題】夜間に紙幣を複数の場所（例えば、フロント領域に設けられた紙幣処理装置およびバックヤード領域に設けられた貨幣処理装置）に分散して残置させることによりセキュリティ性を高めるとともに、釣銭準備金としての紙幣をフロント領域とバックヤード領域との間で移動させる手間を省くことができる紙幣処理装置および紙幣処理方法を提供する。【解決手段】紙幣処理装置１０の制御部５０は、第１のカセット（リサイクルカセット４２）がカセット収容部４０に収容されているときに、各収納繰出部２８に収納された紙幣をこれらの収納繰出部２８から繰り出して搬送部２４により第１のカセットに搬送して当該第１のカセットに収納させ、この第１のカセットに残置させる残置モードを選択的に実行するようになっている。【選択図】図２
2014052894.tif 000002
【特許請求の範囲】
【請求項１】
紙幣を機体内に投入するための投入部と、
前記投入部に接続され、機体内で紙幣の搬送を行う搬送部と、
前記搬送部に設けられ、前記投入部により機体内に投入された紙幣の識別を行う識別部と、
前記搬送部にそれぞれ接続され、紙幣を収納するとともに収納された紙幣を繰り出す複数の収納繰出部と、
紙幣を収納するとともに収納された紙幣を繰り出す第１のカセットと、
前記搬送部に接続され、前記第１のカセットが着脱自在に収容されるカセット収容部と、
前記搬送部および前記収納繰出部の制御を行う制御部であって、前記第１のカセットが前記カセット収容部に収容されているときに、前記各収納繰出部に収納された紙幣をこれらの収納繰出部から繰り出して前記搬送部により前記第１のカセットに搬送して当該第１のカセットに収納させ、この第１のカセットに残置させる残置モードを選択的に実行する制御部と、
を備えた、紙幣処理装置。
【請求項２】
前記第１のカセットには、当該第１のカセットから紙幣を取り出す権限の無い者がこの第１のカセットから紙幣を取り出そうとしたときに、あるいは前記カセット収容部から前記第１のカセットを取り出す権限の無い者が前記カセット収容部から前記第１のカセットを取り出そうとしたときに、前記第１のカセットに収納された紙幣にインクを噴霧するインク噴霧部が設けられている、請求項１記載の紙幣処理装置。
【請求項３】
前記制御部は、前記インク噴霧部の動作のオンオフを切り替えるようになっており、
当該制御部は、前記残置モードを実行したときに前記インク噴霧部の動作をオンとするよう当該インク噴霧部の制御を行う、請求項２記載の紙幣処理装置。
【請求項４】
前記インク噴霧部の動作のオンオフを切り替えるための遠隔操作手段を更に備え、前記インク噴霧部は、前記遠隔操作手段から送られた指令に基づいて、動作のオンオフが切り替えられる、請求項２記載の紙幣処理装置。
【請求項５】
前記第１のカセットには、当該第１のカセットに衝撃が与えられたときにこのことを検知する衝撃検知部が設けられており、
前記インク噴霧部は、前記衝撃検知部により前記第１のカセットに衝撃が与えられたことが検知されると、前記第１のカセットに収納された紙幣にインクを噴霧するようになっている、請求項２記載の紙幣処理装置。
【請求項６】
前記カセット収容部に収容されている前記第１のカセットに収納された紙幣に係る情報を記憶する記憶部を更に備えた、請求項１記載の紙幣処理装置。
【請求項７】
前記制御部は、前記記憶部に記憶された情報に基づいて、前記カセット収容部に収容されている前記第１のカセットから紙幣を繰り出して前記搬送部により前記各収納繰出部に搬送して当該各収納繰出部に収納させる補充モードを選択的に実行する、請求項６記載の紙幣処理装置。
【請求項８】
前記第１のカセットには、当該第１のカセットから紙幣を取り出す権限の無い者がこの第１のカセットから紙幣を取り出そうとしたときに、あるいは前記カセット収容部から前記第１のカセットを取り出す権限の無い者が前記カセット収容部から前記第１のカセットを取り出そうとしたときに、前記第１のカセットに収納された紙幣にインクを噴霧するインク噴霧部が設けられており、
前記制御部は、前記インク噴霧部の動作のオンオフを切り替えるようになっており、
当該制御部は、前記補充モードを実行したときに前記インク噴霧部の動作をオフとするよう当該インク噴霧部の制御を行う、請求項７記載の紙幣処理装置。
【請求項９】
前記カセット収容部には、紙幣を収納する第２のカセットも着脱自在に収容されるようになっており、
前記制御部は、前記第２のカセットが前記カセット収容部に収容されているときに、前記紙幣処理装置の機内在高と釣銭準備金の金額との差額である余剰金額分の紙幣を前記各収納繰出部から繰り出して前記搬送部により前記第２のカセットに搬送して当該第２のカセットに収納させる回収モードを選択的に実行し、この回収モードを実行した後、前記第１のカセットが前記カセット収容部に収容されているときに前記残置モードを実行する、請求項１乃至８のいずれか一項に記載の紙幣処理装置。
【請求項１０】
前記第１のカセットは、一対のテープの間に紙幣を挟んでドラムに巻き取ることにより紙幣を収納するとともに前記ドラムに巻き取られた前記一対のテープを当該ドラムから巻き出すことにより紙幣を繰り出すテープ式のものである、請求項１乃至９のいずれか一項に記載の紙幣処理装置。
【請求項１１】
機体内で紙幣の搬送を行う搬送部と、前記搬送部にそれぞれ接続され、紙幣を収納するとともに収納された紙幣を繰り出す複数の収納繰出部と、紙幣を収納するとともに収納された紙幣を繰り出す第１のカセットと、前記搬送部に接続され、前記第１のカセットが着脱自在に収容されるカセット収容部と、を備えた紙幣処理装置による紙幣処理方法であって、
前記カセット収容部に前記第１のカセットを収容させる工程と、
前記カセット収容部に前記第１のカセットが収容されているときに、前記各収納繰出部に収納された紙幣をこれらの収納繰出部から繰り出して前記搬送部により前記第１のカセットに搬送して当該第１のカセットに収納させ、この第１のカセットに残置させる工程と、
を備えた、紙幣処理方法。
【請求項１２】
前記カセット収容部には、紙幣を収納する第２のカセットも着脱自在に収容されるようになっており、
前記カセット収容部に前記第２のカセットを収容させる工程と、
前記カセット収容部に前記第２のカセットが収容されているときに、前記紙幣処理装置の機内在高と釣銭準備金の金額との差額である余剰金額分の紙幣を前記各収納繰出部から繰り出して前記搬送部により前記第２のカセットに搬送して当該第２のカセットに収納させる工程と、
を更に備え、
前記第２のカセットに余剰金額分の紙幣を収納させた後、前記カセット収容部から前記第２のカセットを取り出し、その後、前記カセット収容部に前記第１のカセットを収容させることにより、前記第１のカセットに釣銭準備金の金額分の紙幣を収納させ、この第１のカセットに残置させる、請求項１１記載の紙幣処理方法。
【発明の詳細な説明】
【技術分野】
【０００１】
本発明は、紙幣を収納するとともに収納された紙幣を繰り出すカセットがカセット収容部に着脱自在に収容される紙幣処理装置および紙幣処理方法に関する。
【背景技術】
【０００２】
従来から、コンビニエンスストアやスーパーマーケット等の店舗において、店員が顧客との間で貨幣の受け渡しを行うフロント領域に貨幣釣銭機を設けるとともに、顧客が入ることができないバックヤード領域に貨幣処理装置を設けるような運用が行われている。このような店舗では、営業時間終了後に、フロント領域に設けられた貨幣釣銭機から貨幣を回収し、バックヤード領域に設けられた貨幣処理装置に収納することにより、夜間はバックヤード領域の貨幣処理装置で貨幣を管理している。また、次の日の営業時間開始前に、フロント領域の貨幣釣銭機で釣銭として用いられる貨幣（釣銭準備金）をバックヤード領域の貨幣処理装置から出金し、出金された釣銭準備金をフロント領域の貨幣釣銭機に収納している。また、警備会社の警備員により、バックヤード領域に設けられた貨幣処理装置から貨幣が定期的に回収されるようになっている。フロント領域に設けられる貨幣釣銭機としては、例えば特許文献１等に開示されるものが知られている。
【先行技術文献】
【特許文献】
【０００３】
【特許文献１】特開平０９−１６１１２４号公報
【発明の概要】
【発明が解決しようとする課題】
【０００４】
しかしながら、前述のように、夜間はバックヤード領域の貨幣処理装置で貨幣を管理しており、貨幣は貨幣処理装置１カ所で残置されるため、店舗に強盗が入ったときにこの強盗はバックヤード領域の貨幣処理装置１カ所だけを襲撃すればよいため、警備会社の警備員が店舗に到着する前に強盗によって貨幣処理装置から貨幣を盗まれてしまうおそれがある。また、従来では、前述のように、営業時間終了後に、フロント領域に設けられた貨幣釣銭機から貨幣を回収し、バックヤード領域に設けられた貨幣処理装置に収納するとともに、次の日の営業時間開始前に、フロント領域の貨幣釣銭機において釣銭として用いられる貨幣（釣銭準備金）をバックヤード領域の貨幣処理装置から出金し、出金された釣銭準備金をフロント領域の貨幣釣銭機に収納しているため、店員にとって手間がかかるという問題がある。
【０００５】
本発明は、このような点を考慮してなされたものであり、夜間に紙幣を複数の場所（例えば、フロント領域に設けられた紙幣処理装置およびバックヤード領域に設けられた貨幣処理装置）に分散して残置させることによりセキュリティ性を高めるとともに、釣銭準備金としての紙幣をフロント領域とバックヤード領域との間で移動させる手間を省くことができる紙幣処理装置および紙幣処理方法を提供することを目的とする。
【課題を解決するための手段】
【０００６】
本発明の紙幣処理装置は、紙幣を機体内に投入するための投入部と、前記投入部に接続され、機体内で紙幣の搬送を行う搬送部と、前記搬送部に設けられ、前記投入部により機体内に投入された紙幣の識別を行う識別部と、前記搬送部にそれぞれ接続され、紙幣を収納するとともに収納された紙幣を繰り出す複数の収納繰出部と、紙幣を収納するとともに収納された紙幣を繰り出す第１のカセットと、前記搬送部に接続され、前記第１のカセットが着脱自在に収容されるカセット収容部と、前記搬送部および前記収納繰出部の制御を行う制御部であって、前記第１のカセットが前記カセット収容部に収容されているときに、前記各収納繰出部に収納された紙幣をこれらの収納繰出部から繰り出して前記搬送部により前記第１のカセットに搬送して当該第１のカセットに収納させ、この第１のカセットに残置させる残置モードを選択的に実行する制御部と、を備えている。
【０００７】
このような紙幣処理装置によれば、制御部は、第１のカセットがカセット収容部に収容されているときに、各収納繰出部に収納された紙幣をこれらの収納繰出部から繰り出して搬送部により第１のカセットに搬送して当該第１のカセットに収納させ、この第１のカセットに残置させる残置モードを選択的に実行するようになっている。このように、制御部が残置モードを実行したときには、フロント領域に設けられる紙幣処理装置のカセット収容部に収容される第１のカセットにも紙幣を残置させることができるため、夜間に紙幣を複数の場所（例えば、フロント領域に設けられた紙幣処理装置およびバックヤード領域に設けられた貨幣処理装置）に分散して残置させることによりセキュリティ性を高めるとともに、釣銭準備金としての紙幣をフロント領域とバックヤード領域との間で移動させる手間を省くことができる。
【０００８】
本発明の紙幣処理装置においては、前記第１のカセットには、当該第１のカセットから紙幣を取り出す権限の無い者がこの第１のカセットから紙幣を取り出そうとしたときに、あるいは前記カセット収容部から前記第１のカセットを取り出す権限の無い者が前記カセット収容部から前記第１のカセットを取り出そうとしたときに、前記第１のカセットに収納された紙幣にインクを噴霧するインク噴霧部が設けられていてもよい。
【０００９】
この際に、前記制御部は、前記インク噴霧部の動作のオンオフを切り替えるようになっており、当該制御部は、前記残置モードを実行したときに前記インク噴霧部の動作をオンとするよう当該インク噴霧部の制御を行うようになっていてもよい。
【００１０】
あるいは、本発明の紙幣処理装置は、前記インク噴霧部の動作のオンオフを切り替えるための遠隔操作手段を更に備え、前記インク噴霧部は、前記遠隔操作手段から送られた指令に基づいて、動作のオンオフが切り替えられるようになっていてもよい。
【００１１】
あるいは、前記第１のカセットには、当該第１のカセットに衝撃が与えられたときにこのことを検知する衝撃検知部が設けられており、前記インク噴霧部は、前記衝撃検知部により前記第１のカセットに衝撃が与えられたことが検知されると、前記第１のカセットに収納された紙幣にインクを噴霧するようになっていてもよい。
【００１２】
本発明の紙幣処理装置は、前記カセット収容部に収容されている前記第１のカセットに収納された紙幣に係る情報を記憶する記憶部を更に備えていてもよい。
【００１３】
この際に、前記制御部は、前記記憶部に記憶された情報に基づいて、前記カセット収容部に収容されている前記第１のカセットから紙幣を繰り出して前記搬送部により前記各収納繰出部に搬送して当該各収納繰出部に収納させる補充モードを選択的に実行するようになっていてもよい。
【００１４】
また、前記第１のカセットには、当該第１のカセットから紙幣を取り出す権限の無い者がこの第１のカセットから紙幣を取り出そうとしたときに、あるいは前記カセット収容部から前記第１のカセットを取り出す権限の無い者が前記カセット収容部から前記第１のカセットを取り出そうとしたときに、前記第１のカセットに収納された紙幣にインクを噴霧するインク噴霧部が設けられており、前記制御部は、前記インク噴霧部の動作のオンオフを切り替えるようになっており、当該制御部は、前記補充モードを実行したときに前記インク噴霧部の動作をオフとするよう当該インク噴霧部の制御を行うようになっていてもよい。
【００１５】
本発明の紙幣処理装置においては、前記カセット収容部には、紙幣を収納する第２のカセットも着脱自在に収容されるようになっており、前記制御部は、前記第２のカセットが前記カセット収容部に収容されているときに、前記紙幣処理装置の機内在高と釣銭準備金の金額との差額である余剰金額分の紙幣を前記各収納繰出部から繰り出して前記搬送部により前記第２のカセットに搬送して当該第２のカセットに収納させる回収モードを選択的に実行し、この回収モードを実行した後、前記第１のカセットが前記カセット収容部に収容されているときに前記残置モードを実行するようになっていてもよい。
【００１６】
本発明の紙幣処理装置においては、前記第１のカセットは、一対のテープの間に紙幣を挟んでドラムに巻き取ることにより紙幣を収納するとともに前記ドラムに巻き取られた前記一対のテープを当該ドラムから巻き出すことにより紙幣を繰り出すテープ式のものであってもよい。
【００１７】
本発明の紙幣処理方法は、機体内で紙幣の搬送を行う搬送部と、前記搬送部にそれぞれ接続され、紙幣を収納するとともに収納された紙幣を繰り出す複数の収納繰出部と、紙幣を収納するとともに収納された紙幣を繰り出す第１のカセットと、前記搬送部に接続され、前記第１のカセットが着脱自在に収容されるカセット収容部と、を備えた紙幣処理装置による紙幣処理方法であって、前記カセット収容部に前記第１のカセットを収容させる工程と、前記カセット収容部に前記第１のカセットが収容されているときに、前記各収納繰出部に収納された紙幣をこれらの収納繰出部から繰り出して前記搬送部により前記第１のカセットに搬送して当該第１のカセットに収納させ、この第１のカセットに残置させる工程と、を備えている。
【００１８】
このような紙幣処理方法によれば、第１のカセットがカセット収容部に収容されているときに、各収納繰出部に収納された紙幣をこれらの収納繰出部から繰り出して搬送部により第１のカセットに搬送して当該第１のカセットに収納させ、この第１のカセットに残置させるようになっている。このように、フロント領域に設けられる紙幣処理装置のカセット収容部に収容される第１のカセットにも紙幣を残置させることができるため、夜間に紙幣を複数の場所（例えば、フロント領域に設けられた紙幣処理装置およびバックヤード領域に設けられた貨幣処理装置）に分散して残置させることによりセキュリティ性を高めるとともに、釣銭準備金としての紙幣をフロント領域とバックヤード領域との間で移動させる手間を省くことができる。
【００１９】
本発明の紙幣処理方法においては、前記カセット収容部には、紙幣を収納する第２のカセットも着脱自在に収容されるようになっており、前記カセット収容部に前記第２のカセットを収容させる工程と、前記カセット収容部に前記第２のカセットが収容されているときに、前記紙幣処理装置の機内在高と釣銭準備金の金額との差額である余剰金額分の紙幣を前記各収納繰出部から繰り出して前記搬送部により前記第２のカセットに搬送して当該第２のカセットに収納させる工程と、を更に備え、前記第２のカセットに余剰金額分の紙幣を収納させた後、前記カセット収容部から前記第２のカセットを取り出し、その後、前記カセット収容部に前記第１のカセットを収容させることにより、前記第１のカセットに釣銭準備金の金額分の紙幣を収納させ、この第１のカセットに残置させるようになっていてもよい。
【発明の効果】
【００２０】
本発明の紙幣処理装置および紙幣処理方法によれば、夜間に紙幣を複数の場所（例えば、フロント領域に設けられた紙幣処理装置およびバックヤード領域に設けられた貨幣処理装置）に分散して残置させることによりセキュリティ性を高めるとともに、釣銭準備金としての紙幣をフロント領域とバックヤード領域との間で移動させる手間を省くことができる。
【図面の簡単な説明】
【００２１】
【図１】本発明の実施の形態における紙幣処理装置の外観を示す斜視図である。
【図２】図１に示す紙幣処理装置の内部構成を示す側面図である。
【図３】図１および図２に示す紙幣処理装置における機能ブロック図である。
【図４】（ａ）は、リサイクルカセットの構成を示す構成図であり、（ｂ）は、回収カセットの構成を示す構成図である。
【図５】リサイクルカセットの外観を示す斜視図である。
【図６】図５に示すリサイクルカセットの分解斜視図である。
【図７】図５に示すリサイクルカセットに設けられたインク噴霧部の構成を示す概略構成図である。
【図８】図７に示すインク噴霧部におけるインク噴霧部材の構成を示す構成図である。
【図９】図７に示すインク噴霧部におけるインク噴霧部材の他の構成を示す構成図である。
【図１０】図７に示すインク噴霧部におけるインク噴霧部材の更に他の構成を示す構成図である。
【発明を実施するための形態】
【００２２】
以下、本発明の実施の形態における紙幣処理装置および紙幣処理方法について図面を参照して説明する。図１乃至図１０は、本実施の形態に係る紙幣処理装置および紙幣処理方法を示す図である。このうち、図１は、本実施の形態における紙幣処理装置の外観を示す斜視図であり、図２は、図１に示す紙幣処理装置の内部構成を示す側面図である。また、図３は、図１および図２に示す紙幣処理装置における機能ブロック図である。また、図４（ａ）は、リサイクルカセットの構成を示す構成図であり、図４（ｂ）は、回収カセットの構成を示す構成図である。また、図５は、リサイクルカセットの外観を示す斜視図であり、図６は、図５に示すリサイクルカセットの分解斜視図である。また、図７は、図５に示すリサイクルカセットに設けられたインク噴霧部の構成を示す概略構成図である。また、図８乃至図１０は、図７に示すインク噴霧部におけるインク噴霧部材の様々な構成を示す構成図である。
【００２３】
本実施の形態による紙幣処理装置１０は、店舗において店員が顧客との間で実際に現金をやり取りするフロント領域に設けられた紙幣釣銭機からなり、店員によって操作されるＰＯＳレジスター（図示せず）等と通信可能に接続され、代金として顧客から受け取った紙幣、および、釣銭として顧客へ支払う紙幣を処理するようになっている。
【００２４】
図１に示すように、紙幣処理装置１０は、筐体１２と、筐体１２内へ紙幣を投入するための投入部２０と、筐体１２外へ紙幣を投出するための投出部２２とを備えている。投入部２０は、バラ紙幣を筐体１２の外部から内部に投入するための投入口を有している。また、投出部２２は、バラ紙幣を筐体１２の内部から外部に投出するための投出口を有している。
【００２５】
図２に示すように、投入部２０には投入部カバー２１が設けられている。投入部カバー２１の下部には隙間があり、この投入部カバー２１を閉じていても小枚数の紙幣の投入が可能となっている。一方、大量の紙幣を投入する場合には、操作者は投入部カバー２１を開けて紙幣を投入部２０に投入する。投入部２０には、当該投入部２０に投入された紙幣を１枚ずつ後述する搬送部２４に繰り出す繰出機構２０ａが設けられている。
【００２６】
また、投出部２２には投出部シャッタ２３が設けられている。この投出部シャッタ２３は通常は投出部２２の投出口を閉じているが、紙幣の投出時において後述する搬送部２４から投出部２２に所望の枚数の紙幣が搬送されたときには、この投出部シャッタ２３が開き、操作者は投出部２２に集積された紙幣を取り出すことができるようになっている。
【００２７】
図２に示すように、紙幣処理装置１０において筐体１２内には搬送部２４が設けられており、当該搬送部２４によって、投入部２０により筐体１２内に投入された紙幣が筐体１２内で１枚ずつ搬送されるようになっている。また、搬送部２４には識別部２６が設けられており、この識別部２６によって、搬送部２４により搬送される紙幣の金種、真偽、正損、新旧等が識別されるようになっている。
【００２８】
また、筐体１２内において複数の収納繰出部２８が設けられており、各収納繰出部２８はそれぞれ搬送部２４に接続されている。各収納繰出部２８は、投入部２０により筐体１２内に投入され識別部２６により識別された紙幣を金種別に収納するようになっている。より詳細には、識別部２６による識別結果に基づいて、紙幣は搬送部２４により各収納繰出部２８に金種別に送られるようになっている。また、各収納繰出部２８は、当該収納繰出部２８に収納された紙幣を１枚ずつ搬送部２４に繰り出すことができるようになっている。各収納繰出部２８は、図２に示すような、紙幣を１枚ずつ一対のテープ間に挟み込んだ状態で当該テープを紙幣とともに巻き取るテープ式の収納繰出部であってもよく、あるいは、紙幣を積み重ねて収納するスタッカ式の収納繰出部（図示せず）であってもよい。
【００２９】
また、図２に示すように、筐体１２内においてカセット収容部４０が設けられている。このカセット収容部４０には、図４に示すようなリサイクルカセット（第１のカセット）４２および回収カセット（第２のカセット）４４のうち何れか一方のカセットが着脱自在に収容されるようになっている。すなわち、紙幣処理装置１０における同一の収容スペース（具体的には、カセット収容部４０）に、リサイクルカセット４２および回収カセット４４の何れも選択的に収納させることができるようになっている。
【００３０】
図４（ａ）に示すように、リサイクルカセット４２は、紙幣を１枚ずつ一対のテープ４２ａ、４２ｂ間に挟み込んだ状態でドラム４２ｃによって当該テープ４２ａ、４２ｂを紙幣とともに巻き取るテープ式のものとなっている。リサイクルカセット４２がカセット収容部４０に装着されたときに、紙幣処理装置１０の搬送部２４からリサイクルカセット４２に送られた紙幣は一対のテープ４２ａ、４２ｂ間に挟み込まれてこれらの一対のテープ４２ａ、４２ｂとともにドラム４２ｃに巻き取られるようになっている。このようにして、リサイクルカセット４２に収納された紙幣については、紙幣処理装置１０のカセット収容部４０に当該リサイクルカセット４２を装着しない限り、外部から取り出すことができないようになっている。また、リサイクルカセット４２における紙幣入出金口には、この紙幣入出金口をこじ開けて紙幣を無理やり取り出そうとするような不正アクセスを防止するためのカバー（図示せず）が設けられている。このように、図４（ａ）に示すような構成のリサイクルカセット４２を用いることによって、操作者が内部の紙幣に触れることを防止することができるようになる。
【００３１】
リサイクルカセット４２には、ＩＣタグ等の記憶部４３が設けられている。また、紙幣処理装置１０のカセット収容部４０には、当該カセット収容部４０に装着されたリサイクルカセット４２の記憶部４３に対して例えば非接触、または電気的な通信で情報の読み書きを行う読み書き部４６が設けられている。記憶部４３に記憶される情報の内容の詳細については後述する。
【００３２】
また、図４（ｂ）に示すように、回収カセット４４は例えばスタッカ式のものからなり、複数の紙幣（図４（ｂ）において参照符号Ｐで表示）が積層状態で集積される集積部４４ａが回収カセット４４内に設けられている。回収カセット４４がカセット収容部４０に装着されたときに、紙幣処理装置１０の搬送部２４から回収カセット４４に送られた紙幣は集積部４４ａに積層状態で集積されるようになる。店舗の営業時間中はカセット収容部４０に回収カセット４４が装着されるようになっており、例えば紙幣処理装置１０の筐体１２内に投入されたが各収納繰出部２８に収納することができないようなオーバーフロー紙幣や各収納繰出部２８に収納するように設定されていない紙幣が、搬送部２４により回収カセット４４に送られて当該回収カセット４４に収納されるようになっている。なお、店舗の営業時間中において、回収カセット４４ではなくリサイクルカセット４２をカセット収容部４０に装着してもよい。
【００３３】
また、図２に示すように、投入部２０、投出部２２、搬送部２４における各搬送路、および収納繰出部２８にはそれぞれ紙幣検知センサ３０が設けられており、これらの紙幣検知センサ３０によって、紙幣の有無や搬送される紙幣の通過を検知するようになっている。
【００３４】
また、図２に示すように、紙幣処理装置１０の筐体１２の背面には扉４８が設けられている。そして、この扉４８を開けることにより、カセット収容部４０にリサイクルカセット４２や回収カセット４４を収容したり、このカセット収容部４０からリサイクルカセット４２や回収カセット４４を取り出したりすることができるようになる。なお、扉４８には、扉不正開閉検出部４９（図３参照）が設けられており、カセット収容部４０からリサイクルカセット４２や回収カセット４４を取り出す権限の無い者が扉４８を開けたときには、このことが扉不正開閉検出部４９により検出されるようになっている。
【００３５】
また、図３に示すように、紙幣処理装置１０には制御部５０が設けられており、この制御部５０により紙幣処理装置１０の各構成要素が制御されるようになっている。より具体的には、制御部５０には投入部２０、投出部２２、搬送部２４、識別部２６、収納繰出部２８、紙幣検知センサ３０、カセット収容部４０、読み書き部４６、扉不正開閉検出部４９等がそれぞれ接続されている。ここで、識別部２６による紙幣の識別結果に係る情報や紙幣検知センサ３０による紙幣の検知情報が制御部５０に送られるようになっている。また、リサイクルカセット４２がカセット収容部４０に収容されたときに、制御部５０はカセット収容部４０に収容されたリサイクルカセット４２の制御を行うことができるようになっている。ここで、リサイクルカセット４２がカセット収容部４０に収容されたときに、読み書き部４６により読み取られた、記憶部４３に記憶された情報が制御部５０に送られるようになっている。また、カセット収容部４０からリサイクルカセット４２や回収カセット４４を取り出す権限の無い者が扉４８を開けたことが扉不正開閉検出部４９により検出されたときに、この検出情報が制御部５０に送られるようになっている。また、制御部５０は投入部２０、投出部２２、搬送部２４、収納繰出部２８等に制御信号を送りこれらの構成要素の制御を行うようになっている。
【００３６】
また、制御部５０には報知部５２、操作部５４、記憶部５６、インターフェース５８等がそれぞれ接続されている。制御部５０はインターフェース５８により上位装置６０、具体的には例えばＰＯＳシステム等と信号の送受信を行うことができるようになっている。また、報知部５２は、例えば音声や表示により操作者に対して様々な情報を報知するようになっている。具体的には、報知部５２は、例えば紙幣処理装置１０の筐体１２の前面または上面に設けられたモニタ等からなる。なお、報知部５２は、紙幣処理装置１０に通信接続された上位装置６０に設けられてもよい。また、操作部５４は、操作者が制御部５０に対して様々な指令を行う際に用いられるようになっている。具体的には、操作部５４は、例えば紙幣処理装置１０の筐体１２の前面または上面に設けられたタッチパネルや操作キー等からなる。なお、操作部５４は、紙幣処理装置１０に通信接続された上位装置６０に設けられてもよい。また、記憶部５６は、紙幣処理装置１０における紙幣の処理状況等を記憶するようになっている。具体的には、記憶部５６は、例えば各収納繰出部２８に収納された紙幣の金種毎の枚数や金額等を記憶するようになっている。また、記憶部５６には、紙幣処理装置１０に補充されるべき釣銭準備金としての紙幣の金種毎の枚数や金額、あるいは合計金額も予め記憶されている。
【００３７】
次に、本実施の形態におけるリサイクルカセット４２の構成の詳細について以下に説明する。本実施の形態におけるリサイクルカセット４２には、当該リサイクルカセット４２から紙幣を取り出す権限の無い者がこのリサイクルカセット４２から紙幣を取り出そうとしたときに、あるいはカセット収容部４０からリサイクルカセット４２を取り出す権限の無い者がカセット収容部４０からリサイクルカセット４２を取り出そうとしたときに、リサイクルカセット４２に収納された紙幣にインクを噴霧するインク噴霧部７０が設けられている。このようなインク噴霧部７０の構成について図５乃至図１０を用いて具体的に説明する。なお、図５は、リサイクルカセット４２の外観を示す斜視図であり、図６は、図５に示すリサイクルカセット４２の分解斜視図である。また、図７は、図５に示すリサイクルカセット４２に設けられたインク噴霧部７０の構成を示す概略構成図である。また、図８乃至図１０は、図７に示すインク噴霧部７０におけるインク噴霧部材７２の様々な構成を示す構成図である。
【００３８】
図５および図６に示すように、リサイクルカセット４２は一対のカセットカバー４２ｄ、４２ｅを有しており、これらのカセットカバー４２ｄ、４２ｅの間に図６に示すようなテープ式の収納繰出部４２ｆが収容されるようになっている。なお、収納繰出部４２ｆは、図４（ａ）に示すような一対のテープ４２ａ、４２ｂおよびドラム４２ｃを含むものであり、この収納繰出部４２ｆにおいて、一対のテープ４２ａ、４２ｂの間に紙幣を挟んでドラム４２ｃに巻き取ることにより紙幣を収納するとともにドラム４２ｃに巻き取られた一対のテープ４２ａ、４２ｂを当該ドラム４２ｃから巻き出すことにより紙幣を繰り出すようになっている。
【００３９】
また、図６および図７に示すように、リサイクルカセット４２の収納繰出部４２ｆに収納された紙幣にインクを噴霧するインク噴霧部７０は、円板形状のインク噴霧部材７２と、インク貯留部（インクタンク）７４と、圧縮ガス貯留部７６と、インク制御基板８０とを有している。図６に示すように、円板形状のインク噴霧部材７２は、収納繰出部４２ｆの一方の側面に配置されている。なお、図示はしていないが、円板形状のインク噴霧部材７２が収納繰出部４２ｆの両方の側面に配置されるようになっていてもよい。この円板形状のインク噴霧部材７２の構成の詳細については後述する。また、インク貯留部７４にはインクが貯留されるようになっており、このインク貯留部７４に貯留されたインクがインク噴霧部材７２に送られるようになっている。また、インク貯留部７４にはガス配管７５を介して圧縮ガス貯留部７６が接続されており、圧縮ガス貯留部７６には圧縮ガスが貯留されるようになっている。ここで、図７に示すように、ガス配管７５には遮蔽部分７８が設けられており、この遮蔽部分７８によりインク貯留部７４と圧縮ガス貯留部７６とが互いに連通しないようになっている。一方、この遮蔽部分７８の近傍には当該遮蔽部分７８を破壊するための回路７９が設けられており、この回路７９にはインク制御基板８０が接続されている。そして、リサイクルカセット４２の収納繰出部４２ｆに収納されている紙幣にインクを噴霧するときには、インク制御基板８０が回路７９に電流を送ることにより、遮蔽部分７８が破壊され、インク貯留部７４と圧縮ガス貯留部７６とが互いに連通するようになり、圧縮ガス貯留部７６に貯留された圧縮ガスの圧力によってインク貯留部７４に貯留されたインクがインク噴霧部材７２に送られるようになる。このようにして、インク噴霧部材７２からインクが収納繰出部４２ｆの側面に噴霧され、この収納繰出部４２ｆに収納された紙幣にインクが付けられるようになる。なお、図６に示すように、インク貯留部７４、圧縮ガス貯留部７６およびインク制御基板８０は、それぞれインクカバー８２に収容されるようになっている。インク貯留部７４、圧縮ガス貯留部７６およびインク制御基板８０を内部に収容したインクカバー８２は、一対のカセットカバー４２ｄ、４２ｅが組み合わせられたときにこの一対のカセットカバー４２ｄ、４２ｅの側面に取り付けられるようになる。
【００４０】
インク噴霧部材７２の構成について図８を用いて説明する。インク噴霧部材７２は、略同一形状の第１の円板部材７２ａおよび第２の円板部材７２ｂを有しており、これらの第１の円板部材７２ａおよび第２の円板部材７２ｂが互いに接合されることによりインク噴霧部材７２が構成されるようになっている。ここで、第１の円板部材７２ａには、多数のインク噴霧口７２ｐが設けられている。一方、第２の円板部材７２ｂには、インクが流れる溝７２ｑが設けられている。ここで、第１の円板部材７２ａおよび第２の円板部材７２ｂが互いに接合されたときに、第２の円板部材７２ｂに形成される溝７２ｑは接合面に向くようになっている。すなわち、第２の円板部材７２ｂに形成される溝７２ｑは、第１の円板部材７２ａおよび第２の円板部材７２ｂが互いに接合されたときのインク噴霧部材７２の内部を通るようになる。別の言い方をすれば、第１の円板部材７２ａおよび第２の円板部材７２ｂが互いに接合されたときに、第１の円板部材７２ａは、第２の円板部材７２ｂに形成される溝７２ｑの蓋となる。
【００４１】
また、図８（ｂ）に示すように、第２の円板部材７２ｂにおいて、溝７２ｑに連通するようインク投入口７２ｒが設けられており、インク貯留部７４から送られたインクはこのインク投入口７２ｒを介して溝７２ｑに入るようになっている。また、第１の円板部材７２ａおよび第２の円板部材７２ｂが互いに接合されたときに、第１の円板部材７２ａのインク噴霧口７２ｐは収納繰出部４２ｆ側を向くようになっている。また、インク噴霧口７２ｐは、第１の円板部材７２ａおよび第２の円板部材７２ｂが互いに接合されたときに、第２の円板部材７２ｂに形成される溝７２ｑに沿って配置されるようになっている。このようにして、インク貯留部７４からインク噴霧部材７２に送られたインクは溝７２ｑを通ってインク噴霧口７２ｐから噴霧されるようになる。
【００４２】
図８に示す第１の円板部材７２ａおよび第２の円板部材７２ｂの中心部分には開口７２ｍ、７２ｎがそれぞれ形成されている。また、図６に示すように、リサイクルカセット４２の収納繰出部４２ｆのカバー４２ｇの側面には円形状の開口部４２ｈが設けられており、第１の円板部材７２ａおよび第２の円板部材７２ｂからなるインク噴霧部材７２は、この開口部４２ｈに嵌め合わせられるようになっている。このようにして、インク噴霧部材７２は、収納繰出部４２ｆのドラム４２ｃを覆うカバー４２ｇの一部を構成している。また、収納繰出部４２ｆのドラム４２ｃの軸は、当該収納繰出部４２ｆの筐体（具体的には、図６におけるドラム４２ｃを逃がすための円形状の開口部４２ｈ）で受けられるが、第１の円板部材７２ａおよび第２の円板部材７２ｂの開口７２ｍ、７２ｎは、このドラム４２ｃの軸を逃すよう、当該軸が通過するようになっている。なお、収納繰出部４２ｆのドラム４２ｃの軸は、当該収納繰出部４２ｆの筐体（円形状の開口部４２ｈ）で受けられる代わりに、第１の円板部材７２ａおよび第２の円板部材７２ｂの開口７２ｍ、７２ｎにより受けられるようになっていてもよい。
【００４３】
図８に示す第１の円板部材７２ａおよび第２の円板部材７２ｂでは、第２の円板部材７２ｂに形成される溝７２ｑは、収納繰出部４２ｆのドラム４２ｃの軸から放射状に延びるよう配置されている。このことにより、第１の円板部材７２ａに形成される複数のインク噴霧口７２ｐも、収納繰出部４２ｆのドラム４２ｃの軸から放射状に延びるよう配置されるようになる。このようなインク噴霧口７２ｐの配置によれば、収納繰出部４２ｆに収納されている全ての紙幣にインクをまんべんなく噴霧することができるようになる。
【００４４】
なお、インク噴霧部材７２を構成する第１の円板部材および第２の円板部材は、図８に示すようなものに限定されることはない。インク噴霧部材７２を構成する第１の円板部材および第２の円板部材の他の例について図９および図１０を用いて説明する。
【００４５】
図９に示すような第１の円板部材７２ｃおよび第２の円板部材７２ｄでは、第２の円板部材７２ｄに形成される溝７２ｑは、収納繰出部４２ｆのドラム４２ｃの軸を中心とする複数の同心円の各々に沿って延びるよう配置されている。このことにより、第１の円板部材７２ｃに形成される複数のインク噴霧口７２ｐも、収納繰出部４２ｆのドラム４２ｃの軸を中心とする複数の同心円の各々に沿って延びるよう配置されるようになる。このようなインク噴霧口７２ｐの配置でも、収納繰出部４２ｆに収納されている全ての紙幣にインクをまんべんなく噴霧することができるようになる。
【００４６】
また、図１０に示すような第１の円板部材７２ｅおよび第２の円板部材７２ｆでは、第２の円板部材７２ｆに形成される溝７２ｑは、収納繰出部４２ｆのドラム４２ｃの軸から放射状に延びるよう配置されたもの、および収納繰出部４２ｆのドラム４２ｃの軸を中心とする複数の同心円の各々に沿って延びるよう配置されたものが組み合わせられている。このことにより、第１の円板部材７２ｅに形成される複数のインク噴霧口７２ｐも、収納繰出部４２ｆのドラム４２ｃの軸から放射状に延びるよう配置されたもの、および収納繰出部４２ｆのドラム４２ｃの軸を中心とする複数の同心円の各々に沿って延びるよう配置されたものが組み合わせられている。このようなインク噴霧口７２ｐの配置でも、収納繰出部４２ｆに収納されている全ての紙幣にインクをまんべんなく噴霧することができるようになる。
【００４７】
また、図７に示すように、インク噴霧部７０において、インク制御基板８０には不正操作検知部８４が接続されている。この不正操作検知部８４は、リサイクルカセット４２から紙幣を取り出す権限の無い者がこのリサイクルカセット４２から紙幣を取り出そうとしたときにこの不正操作を検知するようになっている。より詳細には、不正操作検知部８４は、リサイクルカセット４２のカセットカバー４２ｄ、４２ｅの開閉を検知するカセットカバー開閉検知センサ（図示せず）、リサイクルカセット４２に衝撃が与えられたときにこのことを検知する衝撃検知センサ（図示せず）、リサイクルカセット４２からのインク貯留部７４またはインク噴霧部材７２の取り外しを検知する取り外し検知センサ（図示せず）、あるいはリサイクルカセット４２の紙幣入出金口のこじあけを検知する紙幣入出金口こじあけ検知センサ（図示せず）のうち少なくとも１つのものである。そして、不正操作検知部８４により不正操作が検知されたときに、インク制御基板８０は、ガス配管７５に設けられた遮蔽部分７８を破壊するよう、回路７９に電流を送る。このことにより、インク貯留部７４と圧縮ガス貯留部７６とが互いに連通するようになり、圧縮ガス貯留部７６に貯留された圧縮ガスの圧力によってインク貯留部７４に貯留されたインクがインク噴霧部材７２に送られる。このようにして、インク貯留部７４に貯留されたインクがインク噴霧部材７２のインク噴霧口７２ｐにより収納繰出部４２ｆに収納された紙幣の端部に向かって噴霧される。
【００４８】
また、リサイクルカセット４２のインク制御基板８０は、当該リサイクルカセット４２が紙幣処理装置１０のカセット収容部４０に収容されたときに、紙幣処理装置１０の制御部５０に接続されるようになっている。そして、カセット収容部４０からリサイクルカセット４２を取り出す権限の無い者がカセット収容部４０からリサイクルカセット４２を取り出そうとしたときに、扉４８が不正に開けられたことが扉不正開閉検出部４９により検出され、この情報が制御部５０からインク制御基板８０に送られることにより、インク制御基板８０は、ガス配管７５に設けられた遮蔽部分７８を破壊するよう、回路７９に電流を送る。このようにして、インク貯留部７４に貯留されたインクがインク噴霧部材７２のインク噴霧口７２ｐにより収納繰出部４２ｆに収納された紙幣の端部に向かって噴霧される。
【００４９】
次に、このような構成からなる紙幣処理装置１０の動作について説明する。なお、以下に示す紙幣処理装置１０の動作は、制御部５０が紙幣処理装置１０の各構成要素を制御することにより行われるようになっている。
【００５０】
本実施の形態による紙幣処理装置１０では、以下に示すような「回収モード」「残置モード」「補充モード」「回収残置モード」を実行することができるようになっている。これらのモードについてそれぞれ以下に説明する。
【００５１】
〔回収モード〕
店舗の営業時間終了後に、紙幣処理装置１０から売上金としての紙幣を回収する際に、制御部５０は以下に示すような回収モードを実行する。制御部５０が回収モードを実行するにあたり、まず、図４（ｂ）に示すような回収カセット４４をカセット収容部４０に予め収容しておく。そして、紙幣処理装置１０の機内在高、すなわち各収納繰出部２８に収納されている紙幣の在高から、釣銭準備金として予め設定された金額を差し引いた金額である余剰金額分の紙幣を各収納繰出部２８から繰り出して搬送部２４により回収カセット４４に搬送してこの回収カセット４４に収納させる。ここで、「釣銭準備金として予め設定された金額」は、記憶部５６に予め記憶されるようになっている。その後、カセット収容部４０から回収カセット４４を取り外し、この回収カセット４４ごと紙幣を回収する。回収された紙幣は、店舗のバックヤード領域に設けられた貨幣処理装置（図示せず）等に収納されるようになる。なお、紙幣処理装置１０から売上金としての紙幣を回収する回収モードを、回収カセット４４ではなくリサイクルカセット４２を用いて行ってもよい。
【００５２】
〔残置モード〕
制御部５０が上述したような回収モードを実行し、回収カセット４４に余剰金額分の紙幣（すなわち、紙幣処理装置１０の機内在高と釣銭準備金の金額との差額分の紙幣）を収納させた後、カセット収容部４０から回収カセット４４を取り出す。そして、カセット収容部４０にリサイクルカセット４２を収容させた後、制御部５０は以下に示すような残置モードを実行する。制御部５０が残置モードを実行すると、各収納繰出部２８から紙幣が１枚ずつ搬送部２４に繰り出され、カセット収容部４０に収容されたリサイクルカセット４２に対して搬送部２４により紙幣が１枚ずつ送られるようになる。ここで、残置モードを実行する前の状態では、各収納繰出部２８には釣銭準備金として予め設定された金額分の紙幣が収納されているため、制御部５０が残置モードを実行すると、リサイクルカセット４２には釣銭準備金として予め設定された金額分の紙幣が収納されるようになる。また、リサイクルカセット４２に紙幣が収納される際に、ドラム４２ｃに巻き取られた紙幣の順番や金種等の情報が紙幣処理装置１０の記憶部５６やリサイクルカセット４２の記憶部４３に記憶されるようになる。
【００５３】
〔補充モード〕
店舗の営業時間終了後に制御部５０によって上述した回収モードおよび残置モードが行われた後、次の日の営業時間開始前に、制御部５０は以下に示すような補充モードを実行する。制御部５０が前述した残置モードを実行すると、リサイクルカセット４２には釣銭準備金として予め設定された金額分の紙幣が収納されるようになるが、制御部５０が補充モードを実行することにより、リサイクルカセット４２から各収納繰出部２８に釣銭準備金としての紙幣が戻されるようになる。すなわち、制御部５０が補充モードを実行すると、紙幣処理装置１０の記憶部５６やリサイクルカセット４２の記憶部４３に記憶された、リサイクルカセット４２のドラム４２ｃに巻き取られた紙幣の順番や金種等の情報に基づいて、リサイクルカセット４２から紙幣を搬送部２４に繰り出して当該搬送部２４により各収納繰出部２８に搬送して当該各収納繰出部２８に収納させる。このようにして、各収納繰出部２８に、釣銭準備金としての紙幣が収納されるようになる。
【００５４】
〔回収残置モード〕
制御部５０は、上述したような回収モードおよびそれに引き続く残置モードを実行する代わりに、以下に示すような回収残置モードを実行するようになっていてもよい。制御部５０が回収残置モードを実行するにあたり、まず、図４（ａ）に示すようなリサイクルカセット４２をカセット収容部４０に予め収容しておく。そして、紙幣処理装置１０の機内在高、すなわち各収納繰出部２８に収納されている紙幣の在高から、釣銭準備金として予め設定された金額を差し引いた金額である余剰金額分の紙幣を各収納繰出部２８から繰り出して搬送部２４によりリサイクルカセット４２に搬送してこのリサイクルカセット４２に収納させる。次に、カセット収容部４０にリサイクルカセット４２が収容されている状態で、各収納繰出部２８に残っている紙幣を各収納繰出部２８から１枚ずつ搬送部２４に繰り出し、カセット収容部４０に収容されたリサイクルカセット４２に対して搬送部２４により紙幣を１枚ずつ送る。ここで、「各収納繰出部２８に残っている紙幣」は、釣銭準備金として予め設定された金額分の紙幣であるため、上述のような動作が行われると、リサイクルカセット４２には釣銭準備金として予め設定された金額分の紙幣が追加的に収納されるようになる。また、リサイクルカセット４２に紙幣が収納される際に、ドラム４２ｃに巻き取られた紙幣の順番や金種等の情報が紙幣処理装置１０の記憶部５６やリサイクルカセット４２の記憶部４３に記憶されるようになる。
【００５５】
店舗の営業時間終了後に制御部５０によって上述した回収残置モードが行われた後、次の日の営業時間開始前に、リサイクルカセット４２から各収納繰出部２８に釣銭準備金としての紙幣を戻すような補充モードが制御部５０により実行される。より詳細には、制御部５０が補充モードを実行すると、紙幣処理装置１０の記憶部５６やリサイクルカセット４２の記憶部４３に記憶された、リサイクルカセット４２のドラム４２ｃに巻き取られた紙幣の順番や金種等の情報に基づいて、釣銭準備金として予め設定された金額分の紙幣がリサイクルカセット４２から搬送部２４に繰り出され、当該搬送部２４により各収納繰出部２８に搬送されて当該各収納繰出部２８に収納される。このようにして、各収納繰出部２８に、釣銭準備金としての紙幣が収納されるようになる。この場合、リサイクルカセット４２には、紙幣処理装置１０の機内在高から、釣銭準備金として予め設定された金額を差し引いた金額である余剰金額分の紙幣が残るようになる。このため、カセット収容部４０からリサイクルカセット４２を取り外し、このリサイクルカセット４２ごと紙幣を回収することができる。回収された紙幣は、店舗のバックヤード領域に設けられた貨幣処理装置等に収納されるようになる。
【００５６】
なお、本発明では、上述した「回収残置モード」も「残置モード」の一種として当該「残置モード」の概念に含まれるものとする。
【００５７】
本実施の形態では、紙幣処理装置１０の制御部５０は、リサイクルカセット４２のインク噴霧部７０の動作のオンオフを切り替えるようになっている。より詳細には、残置モードを実行したときにインク噴霧部７０の動作をオンとするよう制御部５０は当該インク噴霧部７０の制御を行うようになっている。このことにより、残置モードを実行したときには、リサイクルカセット４２から紙幣を取り出す権限の無い者がこのリサイクルカセット４２から紙幣を取り出そうとしたときに、あるいはカセット収容部４０からリサイクルカセット４２を取り出す権限の無い者がカセット収容部４０からリサイクルカセット４２を取り出そうとしたときに、インク噴霧部７０によって、リサイクルカセット４２に収納された紙幣にインクが噴霧されるようになる。このため、残置モードを実行しているときに、リサイクルカセット４２内の紙幣のセキュリティ性を保つことができるようになる。
【００５８】
また、本実施の形態では、補充モードを実行したときにインク噴霧部７０の動作をオフとするよう制御部５０はインク噴霧部７０の制御を行うようになっている。このことにより、補充モードを実行したときには、リサイクルカセット４２に収納された紙幣に対してインク噴霧部７０によりインクが噴霧されることはなくなる。前述したように、補充モードが行われるのは、店舗の営業時間開始前であるため、このような時間帯には店舗には店員がおり無人ではないため、インク噴霧部７０の動作をオンとする必要がないからである。なお、本実施の形態において、店舗の営業時間中はインク噴霧部７０の動作を常にオンとするような運用を行ってもよい。
【００５９】
また、本実施の形態では、リサイクルカセット４２のインク噴霧部７０の動作のオンオフを切り替えるためのリモコン等が遠隔操作手段として設けられていてもよい。この場合には、インク噴霧部７０は、赤外線通信等の無線データ通信により、リモコン等の遠隔操作手段から送られた指令に基づいて、動作のオンオフが切り替えられるようになる。より詳細には、インク制御基板８０には、リモコン等の遠隔操作手段から発せられた赤外線等を受信する受信手段（図示せず）が設けられており、この受信手段によりリモコン等の遠隔操作手段から発せられた赤外線等を受信したときに、インク制御基板８０は、ガス配管７５に設けられた遮蔽部分７８を破壊するよう、回路７９に電流を送る。このようにして、インク貯留部７４に貯留されたインクがインク噴霧部材７２のインク噴霧口７２ｐにより収納繰出部４２ｆに収納された紙幣の端部に向かって噴霧される。
【００６０】
以上のように本実施の形態の紙幣処理装置１０および紙幣処理方法によれば、制御部５０は、リサイクルカセット（第１のカセット）４２がカセット収容部４０に収容されているときに、各収納繰出部２８に収納された紙幣をこれらの収納繰出部２８から繰り出して搬送部２４によりリサイクルカセット４２に搬送して当該リサイクルカセット４２に収納させ、このリサイクルカセット４２に残置させる残置モードを選択的に実行するようになっている。このように、制御部５０が残置モードを実行したときには、フロント領域に設けられる紙幣処理装置１０のカセット収容部４０に収容されるリサイクルカセット４２にも紙幣を残置させることができるため、夜間に紙幣を複数の場所（具体的には、フロント領域に設けられた紙幣処理装置１０およびバックヤード領域に設けられた貨幣処理装置）に分散して残置させることによりセキュリティ性を高めるとともに、釣銭準備金としての紙幣をフロント領域とバックヤード領域との間で移動させる手間を省くことができる。
【００６１】
また、本実施の形態の紙幣処理装置１０においては、リサイクルカセット４２には、当該リサイクルカセット４２から紙幣を取り出す権限の無い者がこのリサイクルカセット４２から紙幣を取り出そうとしたときに、あるいはカセット収容部４０からリサイクルカセット４２を取り出す権限の無い者がカセット収容部４０からリサイクルカセット４２を取り出そうとしたときに、インク噴霧部７０によってリサイクルカセット４２に収納された紙幣にインクが噴霧されるようになっている。このことにより、例えば夜間にリサイクルカセット４２から不正に紙幣を取り出そうとしたり、カセット収容部４０から不正にリサイクルカセット４２を取り出そうとしたりしたときに、インク噴霧部７０によってリサイクルカセット４２に収納された紙幣にインクが噴霧され、このようなインクが噴霧された紙幣により不正行為が明らかとなるため、リサイクルカセット４２内の紙幣のセキュリティ性を保つことができるようになる。
【００６２】
また、本実施の形態の紙幣処理装置１０においては、カセット収容部４０に収容されているリサイクルカセット４２に収納された紙幣に係る情報は、紙幣処理装置１０の記憶部５６やリサイクルカセット４２の記憶部４３に記憶されるようになっている。そして、制御部５０は、紙幣処理装置１０の記憶部５６やリサイクルカセット４２の記憶部４３に記憶された情報に基づいて、カセット収容部４０に収容されているリサイクルカセット４２から紙幣を繰り出して搬送部２４により各収納繰出部２８に搬送して当該各収納繰出部２８に収納させる補充モードを実行することができるようになっている。ここで、制御部５０は、補充モードを実行したときにインク噴霧部の動作をオフとするよう当該インク噴霧部の制御を行うようになっている。
【００６３】
また、本実施の形態の紙幣処理装置１０においては、カセット収容部４０には、紙幣を収納する回収カセット（第２のカセット）４４も着脱自在に収容されるようになっており、制御部５０は、回収カセット４４がカセット収容部４０に収容されているときに、紙幣処理装置１０の機内在高と釣銭準備金の金額との差額である余剰金額分の紙幣を各収納繰出部２８から繰り出して搬送部２４により回収カセット４４に搬送して当該回収カセット４４に収納させる回収モードを選択的に実行し、この回収モードを実行した後、リサイクルカセット４２がカセット収容部４０に収容されているときに残置モードを実行するようになっている。
【００６４】
また、本実施の形態の紙幣処理装置１０においては、リサイクルカセット４２は、一対のテープ４２ａ、４２ｂの間に紙幣を挟んでドラム４２ｃに巻き取ることにより紙幣を収納するとともにドラム４２ｃに巻き取られた一対のテープ４２ａ、４２ｂを当該ドラム４２ｃから巻き出すことにより紙幣を繰り出すテープ式のものである。
【００６５】
また、本実施の形態のリサイクルカセット４２においては、一対のテープ４２ａ、４２ｂの間に紙幣を挟んでドラム４２ｃに巻き取ることにより紙幣を収納するとともにドラム４２ｃに巻き取られた一対のテープ４２ａ、４２ｂをドラム４２ｃから巻き出すことにより紙幣を繰り出すテープ式の収納繰出部４２ｆ、およびインク貯留部７４に貯留されたインクを噴霧するインク噴霧口７２ｐが設けられたインク噴霧部材７２がそれぞれ設けられており、インク噴霧部材７２は、収納繰出部４２ｆの少なくとも一方の側面に配置されている。このことにより、テープ式の収納繰出部４２ｆが用いられる場合でも、収納繰出部４２ｆの少なくとも一方の側面にインク噴霧部材７２を配置することにより、リサイクルカセット４２から紙幣を取り出す権限の無い者がこのリサイクルカセット４２から紙幣を取り出そうとしたときに、収納繰出部４２ｆに収納されている全ての紙幣にインクをまんべんなく噴霧することができるようになる。
【００６６】
また、本実施の形態のリサイクルカセット４２においては、インク噴霧部材７２において、図９（ａ）に示すように、収納繰出部４２ｆのドラム４２ｃの軸を中心とする複数の同心円の各々に沿ってインク噴霧口７２ｐが複数配置されている。あるいは、インク噴霧部材７２において、図８（ａ）に示すように、収納繰出部４２ｆのドラム４２ｃの軸から放射状に延びる複数の放射ラインの各々に沿ってインク噴霧口７２ｐが複数配置されていてもよい。また、インク噴霧部材７２は円形状であることが好ましい。
【００６７】
また、本実施の形態のリサイクルカセット４２においては、インク噴霧部材７２は、インク噴霧口７２ｐが設けられた第１の円板部材７２ａ、７２ｃ、７２ｅと、インクが流れる溝７２ｑが設けられた第２の部分７２ｂ、７２ｄ、７２ｆとが互いに接合されることにより形成されるようになっている。また、インク噴霧部材７２には、収納繰出部４２ｆのドラム４２ｃの軸が通過する開口７２ｍ、７２ｎが設けられている。また、インク噴霧部材７２は、収納繰出部４２ｆのドラム４２ｃを覆うカバー４２ｆの一部を構成している。
【００６８】
また、本実施の形態のリサイクルカセット４２においては、当該リサイクルカセット４２から紙幣を取り出す権限の無い者がこのリサイクルカセット４２から紙幣を取り出そうとしたときにこの不正操作を検知する不正操作検知部８４が設けられており、不正操作検知部８４により不正操作が検知されたときに、インク貯留部７４に貯留されたインクをインク噴霧部材７２のインク噴霧口７２ｐにより収納繰出部４２ｆに収納された紙幣の端部に向かって噴霧するようになっている。
【００６９】
なお、本実施の形態における紙幣処理装置１０やリサイクルカセット４２は、上記の態様に限定されるものではなく、様々の変更を加えることができる。
【００７０】
例えば、上述した紙幣処理装置１０では、制御部５０が残置モードを実行する際に、インク噴霧部７０が設けられたリサイクルカセット４２をカセット収容部４０に収容させるようになっているが、このような例に限定されることはない。制御部５０が残置モードを実行する際に、インク噴霧部７０が設けられていないリサイクルカセット４２をカセット収容部４０に収容させるようになっていてもよい。この場合でも、制御部５０が残置モードを実行したときには、フロント領域に設けられる紙幣処理装置１０のカセット収容部４０に収容されるリサイクルカセット４２に紙幣を残置させることによって、夜間に紙幣を複数の場所（具体的には、フロント領域に設けられた紙幣処理装置１０およびバックヤード領域に設けられた貨幣処理装置）に分散して残置させることによりセキュリティ性を高めるとともに、釣銭準備金としての紙幣をフロント領域とバックヤード領域との間で移動させる手間を省くことができるという利点が得られる。
【００７１】
また、他の変形例として、リサイクルカセット４２だけではなく回収カセット４４にも、上述したようなインク噴霧部７０を設けてもよい。この場合には、回収カセット４４に収納される紙幣のセキュリティ性を高めることができるようになる。
【００７２】
また、リサイクルカセット４２に衝撃が与えられたときにこのことを検知する衝撃検知センサがリサイクルカセット４２に設けられていることについて既に説明したが、紙幣処理装置１０にも、当該紙幣処理装置１０に衝撃が与えられたときにこのことを検知する衝撃検知センサが設けられていてもよい。このような衝撃検知センサは、例えば紙幣処理装置１０の扉４８に設けられるようになる。このことにより、リサイクルカセット４２がカセット収容部４０に収容されているときに、強盗等がカセット収容部４０からリサイクルカセット４２を取り出すために扉４８を無理やり開けようとしたときに、紙幣処理装置１０に与えられた衝撃が衝撃検知センサにより検出される。そして、制御部５０はこのような検出情報をインク制御基板８０に送ることにより、インク噴霧部７０はリサイクルカセット４２に収納された紙幣にインクを噴霧するようになる。このようにして、紙幣処理装置１０のカセット収容部４０に収容されているリサイクルカセット４２のセキュリティ性を高めることができるようになる。
【符号の説明】
【００７３】
１０  紙幣処理装置
１２  筐体
２０  投入部
２０ａ  繰出機構
２１  投入部カバー
２２  投出部
２３  投出部シャッタ
２４  搬送部
２６  識別部
２８  収納繰出部
３０  紙幣検知センサ
４０  カセット収容部
４２  リサイクルカセット
４２ａ、４２ｂ  一対のテープ
４２ｃ  ドラム
４２ｄ、４２ｅ  一対のカセットカバー
４２ｆ  収納繰出部
４２ｇ  カバー
４２ｈ  開口部
４３  記憶部
４４  回収カセット
４６  読み書き部
４８  扉
４９  扉不正開閉検出部
５０  制御部
５２  報知部
５４  操作部
５６  記憶部
５８  インターフェース
６０  上位装置
７０  インク噴霧部
７２  インク噴霧部材
７２ａ、７２ｃ、７２ｅ  第１の円板部材
７２ｂ、７２ｄ、７２ｆ  第２の円板部材
７２ｍ、７２ｎ  開口
７２ｐ  インク噴霧口
７２ｑ  溝
７２ｒ  インク投入口
７４  インク貯留部
７５  ガス配管
７６  圧縮ガス貯留部
７８  遮蔽部分
７９  回路
８０  インク制御基板
８２  インクカバー
８４  不正操作検知部
【図１】
2014052894.tif 000003
【図２】
2014052894.tif 000004
【図３】
2014052894.tif 000005
【図４】
2014052894.tif 000006
【図５】
2014052894.tif 000007
【図６】
2014052894.tif 000008
【図７】
2014052894.tif 000009
【図８】
2014052894.tif 000010
【図９】
2014052894.tif 000011
【図１０】
2014052894.tif 000012